(57)【要約】【課題】メンテナンスの作業性が向上したフォーカルプレーンシャッタを提供する。【解決手段】本実施例に係るフォーカルプレーンシャッタは、先幕５０の先端部とシャッタ基板１０との間に配置されて先幕５０の走行方向に沿って延在し、開口１１の縁部から開口１１の中心に向けて突出するように配置された薄板部材４０を有し、シャッタ基板１０の開口１１の縁部には、開口１１の中心から離れるにしたがって板厚が厚くなる傾斜面１２が形成されている。【選択図】図２
2008242049.tif 000002
【特許請求の範囲】
【請求項１】
開口をそれぞれ有するシャッタ基板及び羽根押え板と、前記シャッタ基板及び羽根押え板間に配置され前記開口を開閉する羽根とを備え、
前記シャッタ基板及び羽根押え板の少なくとも一方の前記羽根側に配置されて前記羽根の走行方向に沿って延在する薄板部材を有し、
前記薄板部材が配置されている前記シャッタ基板及び／又は羽根押え板の前記開口の縁部は、前記薄板部材の開口側縁部より前記開口の中心から離れている、ことを特徴とするフォーカルプレーンシャッタ。
【請求項２】
前記薄板部材が配置されている前記シャッタ基板及び羽根押え板の前記開口の縁部には、前記開口の中心から離れるにしたがって板厚が厚くなる傾斜面が形成され、前記傾斜面は、前記羽根側と反対側の面に設けられている、ことを特徴とする請求項１に記載のフォーカルプレーンシャッタ。
【請求項３】
前記傾斜面は、前記シャッタ基板又は羽根押え板の被写体側に形成され、前記傾斜面の被写体側に配設されるミラーボックスの開口の縁部より開口中心から離れた位置まで設けられていることを特徴とする請求項１又は２に記載のフォーカルプレーンシャッタ。
【請求項４】
前記シャッタ基板及び羽根押え板の少なくとも一方は樹脂で形成されていることを特徴とする請求項１乃至３のいずれかに記載のフォーカルプレーンシャッタ。
【発明の詳細な説明】
【技術分野】
【０００１】
本発明は、フォーカルプレーンシャッタに関する。
【背景技術】
【０００２】
従来から、一眼レフカメラなどに採用されるシャッタとしてフォーカルプレーンシャッタが知られている（特許文献１参照）。図５及び図６は、このような従来のフォーカルプレーンシャッタの説明図である。図５は、従来のフォーカルプレーンシャッタの正面図であり、図６は、従来のフォーカルプレーンシャッタの要部断面図である。従来のフォーカルプレーンシャッタは、基板１０ｘ、基板２０ｘ、仕切板３０ｘ、先幕５０ｘ、後幕６０ｘ、駆動機構７０ｘ、薄板部材４０ｘなどから構成される。そして、このフォーカルプレーンシャッタの背面側にプリント基板９１ｘが配置され、このプリント基板９１ｘに撮像素子９０ｘが搭載されている。
【０００３】
基板１０ｘは、被写体側に配置され、基板２０ｘは、撮像素子側に配置され、基板１０ｘ及び基板２０ｘにより、先幕５０ｘ及び後幕６０ｘを収納する羽根室が画定される。また、先幕５０ｘ及び後幕６０ｘの間には、仕切板３０ｘが配置されている。また、基板１０ｘと先幕５０ｘとの間には、先幕５０ｘや後幕６０ｘの走行時の先端側のばたつきを防ぐ薄板部材４０ｘが設けられている。
【０００４】
先幕５０ｘは、アーム部材８１ｘ、８２ｘと連結されて、アーム部材８１ｘ、８２ｘの作動により開口１１ｘを開閉する。後幕６０ｘについても同様に、アーム部材８３ｘ、８４ｘの作動により開口１１ｘを開閉する。駆動機構７０ｘは、アーム部材８１ｘ〜８４ｘを駆動させる機構である。
基板１０ｘの被写体側には、図６において一点鎖線の位置にミラーボックスMが配置される。
開口１１ｘの縁部には、図６に示すように、羽根室から被写体側に向けて上り傾斜した傾斜面１２ｘが形成されている。
【０００５】
【特許文献１】特許第３２２４７８６号公報
【発明の開示】
【発明が解決しようとする課題】
【０００６】
ところで近年のデジタルカメラなどにもフォーカルプレーンシャッタが採用されており、高画素化に伴い、撮像素子に僅かなゴミが付着した場合であっても、画質に影響を及ぼす恐れがある。
従って、このようなカメラは定期的にメンテナンスを行う必要があり、例えば、掃除用のハケなどを被写体側から基板の開口へと挿入して、撮像素子に付着したゴミなどを取り除く必要がある。
【０００７】
しかしながら、従来のフォーカルプレーンシャッタの場合、図６に示したように、基板１０ｘの被写体側の開口１１ｘの縁部の形状は、このような掃除具の挿入を想定して形成されたものではなかった。また、基板が樹脂製の場合や開口部近傍を樹脂で構成している場合は、開口部を薄肉にすることは部品製造上困難である。このため開口部近傍の基板の肉厚を薄くできず、掃除具の挿入スペースを減少させ、掃除具を入れにくくさせていた。
従って、このようなメンテナンスを定期的に行うことが、画像の品質を維持するためにも必要であるが、メンテナンス作業はできるだけ簡易に行えるようにすることが望ましい。
【０００８】
そこで、本発明は、メンテナンスの作業性が向上したフォーカルプレーンシャッタを提供することを目的とする。
【課題を解決するための手段】
【０００９】
上記目的は、開口をそれぞれ有するシャッタ基板及び羽根押え板と、前記シャッタ基板及び羽根押え板間に配置され前記開口を開閉する羽根とを備え、前記シャッタ基板及び羽根押え板の少なくとも一方の前記羽根側に配置されて前記羽根の走行方向に沿って延在する薄板部材を有し、前記薄板部材が配置されている前記シャッタ基板及び／又は羽根押え板の前記開口の縁部は、前記薄板部材の開口側縁部より前記開口の中心から離れている、ことを特徴とするフォーカルプレーンシャッタによって達成できる。
この構成により、薄板部材の開口側縁部のシャッタ基板及び／又は羽根押え板側にスペースができ、メンテナンス時の掃除具の開口への挿入が容易となる。従って、メンテナンスの作業性が向上する。
また、薄板部材は、開口の縁部から開口の中心に向けて突出するように配置されているので、開口の辺の一部を構成し、薄い部材のため端面反射が起こりにくい光路を画定する。このように薄板部材は複数の機能を有しているので、部品の集約化が図られる。
【００１０】
また、上記構成において、前記薄板部材が配置されている前記シャッタ基板及び羽根押え板の前記開口の縁部には、前記開口の中心から離れるにしたがって板厚が厚くなる傾斜面が形成され、前記傾斜面は、前記羽根側と反対側の面に設けられている、構成を採用できる。
この構成により、メンテナンス時の掃除具の開口への挿入が、傾斜面により案内されて容易となる。従って、メンテナンスの作業性が向上する。
また、前記傾斜面は、前記シャッタ基板又は羽根押え板の被写体側に形成され、前記傾斜面の被写体側に配設されるミラーボックスの開口の縁部より開口中心から離れた位置まで設けられている構成を採用できる。
この構成により、メンテナンス時の掃除具の開口への挿入が容易となる。従って、メンテナンスの作業性が向上する。
また、前記シャッタ基板及び羽根押え板の少なくとも一方は樹脂で形成する構成を採用できる。この構成により、低コストでシャッタを製造できる。
【発明の効果】
【００１１】
本発明によれば、メンテナンスの作業性が向上したフォーカルプレーンシャッタを提供できる。
【発明を実施するための最良の形態】
【００１２】
以下、図面を参照して本発明に係る実施例を説明する。
図１は、本実施例に係るフォーカルプレーンシャッタの正面図である。図２は、本実施例に係るフォーカルプレーンシャッタの要部断面図である。尚、図１は、先幕の展開状態であり後幕が重畳状態の場合を示している。
フォーカルプレーンシャッタは、基板１０、基板２０、仕切板３０、薄板部材４０、先幕５０、後幕６０、駆動機構７０などから構成される。
【００１３】
基板１０は、樹脂により成形して作られている。そして、基板１０には、矩形状に形成された開口１１を中央部に有している。開口１１の縁部には、図１及び図２に示すように、傾斜面１２が形成されている。基板１０は、被写体側に配置されている。
基板２０は、金属板で形成されている。そして、基板２０も同様に、矩形状に形成された開口２１を有している。また、基板２０は、撮像素子側に配置されている。基板１０及び基板２０によって、先幕５０及び後幕６０を収納する羽根室が画定されている。基板２０は、基板１０の撮像素子側に配置されている。
【００１４】
また、先幕５０及び後幕６０の間には、仕切板３０が配置されている。仕切板３０は、先幕５０及び後幕６０の干渉を防止する。仕切板３０にも同様に矩形状の開口３１が形成されている。
先幕５０は、３枚の羽根５１〜５３から構成され、後幕６０についても同様に、羽根６１〜６３から構成される。
また、図２に示すように、基板１０と先幕５０との間には金属製の薄板部材４０が配置されている。
【００１５】
先幕５０は、アーム部材８１、８２と連結され、アーム部材８１、８２により平行リンク機構を形成し、アーム部材８１、８２の作動によって重畳状態から展開状態へと走行する。詳細には、羽根５１〜５３の各基端部が、カシメピンによりアーム部材８１、８２に連結されている。
後幕６０も先幕５０と同様に、アーム部材８３、８４と連結されて重畳状態から展開状態へと走行する。羽根６１〜６３の各基端部が、カシメピンにより、アーム部材８３、８４に連結されている。
アーム部材８１〜８４は、先幕５０及び後幕６０を走行させる駆動部材として機能する。
先幕５０及び後幕６０が展開状態及び重畳状態に走行することにより、開口１１等を開閉する。
駆動機構７０は、アーム部材８１〜８４を駆動させるための機構である。
【００１６】
図２においては、基板２０の下方には、被写体光を受光して結像する撮像素子９０が配置される。撮像素子９０は、プリント基板９１に搭載されている。
基板１０の被写体側には、図１及び図２において示した一点鎖線の位置に、ミラーボックスＭが配置される。ミラーボックスＭは、通常時においては、被写体光を撮影者が覗く接眼レンズに導き、撮影時においては、被写体光を撮像素子へと導く不図示のミラーを駆動させるための機構である。
【００１７】
次に、フォーカルプレーンシャッタの基本的な動作について説明する。図１の初期状態において先幕５０は、羽根５１〜５３のそれぞれが隣接する羽根の縁部のみが重なりあう展開状態となっている。また後幕６０は、羽根６１〜６３のそれぞれが略重なりあう重畳状態となっており、開口１１を閉鎖している。次にレリーズボタン（不図示）が押されると先幕５０が重畳状態となるよう開口１１を開放し始めた後（図１において、図面上側に先幕５０は走行する。）、適性な露出時間に対応した時間差をおいて、後幕６０を重畳状態から展開状態に走行させて（図１において、図面上側に後幕６０は走行する。）開口１１を閉鎖する。
【００１８】
次に、傾斜面１２について説明する。
図１及び図２に示すように、傾斜面１２は、開口１１の一辺の縁部に形成されている。傾斜面１２は、開口１１の外側から開口１１の中心にかけて、基板２０に向けて下り傾斜している。即ち、傾斜面１２は、開口１１の中心から離れるにしたがって板厚が厚くなるように形成されている。そして、傾斜面１２が設けられている開口１１の縁部の位置は、図５、図６に示す従来のものに比べて開口１１の中心からより離れた位置になっている。そして、後述する薄板部材４０の開口側縁部が図５、図６に示す従来の開口端と同じ位置になっている。
【００１９】
つまり、傾斜面１２が形成されている部分の撮影用の開口を画定しているものは、薄板部材４０の開口側縁部４０ａとなっている。また、薄板部材４０は、樹脂で形成されているシャッタ基板１０に比べると、薄く形成できるので、開口側縁部４０ａでの端面反射が生じにくい。このため、シャッタ基板１０のみで撮影開口を画定するよりも、端面反射が生じにくい分、フレアが発生しにくくなる。
傾斜面１２が形成されている縁部以外の開口１１の他辺の縁部は、垂直に形成されている。
【００２０】
このように、傾斜面１２が形成されていることにより、開口１１に掃除用のハケなどの掃除具を挿入しやすくなっている。基板２０の背面側に配置された撮像素子９０に付着したゴミなどを落す作業性が向上する。即ち、掃除具を開口１１へ挿入する際に、傾斜面１２の被写体側から挿入した場合であっても、傾斜面１２は、下り傾斜しているため、掃除具を容易に開口１１の中心部へと導くことができる。このような構成により、メンテナンスの作業性が向上する。
【００２１】
また、このような傾斜面１２を形成しなくても、開口１１自体を大きくすることによりメンテナンスの作業性は向上するが、開口１１を大きくすることによってフォーカルプレーンシャッタ自体が大型化してしまう。従って、傾斜面１２を形成することにより、フォーカルプレーンシャッタ自体の大型化を抑制しつつメンテナンスの作業性が向上する。
【００２２】
尚、傾斜面１２は、ミラーボックスＭから反射した２次光の一部が撮像素子へと到達するのを防ぐ機能を有している。このことを図４を用いて説明する。なお、図２と共通なところは同じ符号を用いて説明を省略する。掃除具を挿入しやすいようにするのみなら、図４のように被写体側の基板（図４の例ではシャッタ基板１０）の開口１１の縁部に傾斜面１２Ｙを形成することも考えられる。しかしながら、単に被写体側の基板の開口の縁部を傾斜面１２Ｙにすると、ミラーボックスＭからの反射光の一部を傾斜面１２Ｙで更に反射させて撮像素子に入射させてしまうおそれがある。これは、フレアの原因となってしまうため好ましくない。
【００２３】
そこで図２に示すように、傾斜面１２は、ミラーボックスＭよりも開口中心から離れた位置まで設けられている。このようにすると、ミラーボックスＭが傾斜面１２よりも開口中心から離れた位置に設けられている場合より、ミラーボックスＭからの反射光は傾斜面１２により小さい入射角で入射する。このため、傾斜面１２からの反射角もより小さくなり、撮像素子９０に反射光が向かわなくなる。つまり、このような構成にすると、ミラーボックスＭからの反射光が傾斜面１２に当たっても撮像素子９０のほうには傾斜面１２の反射光は向かわなくなる。これにより、掃除具を容易に開口１１に導き、また、フレアを防止するフォーカルプレーンシャッタとすることができる。
【００２４】
次に、薄板部材４０について説明する。
薄板部材４０は、基板１０の撮像素子側に固定され、基板１０と先幕５０の先端部との間に配置されている。また、薄板部材４０は、図１に示すように、先幕５０、後幕６０の走行方向に伸びるように延在している。そして、薄板部材４０の開口側縁４０ａは、撮影開口の１辺を形成するために傾斜面１２よりも開口１１の中心側に近づいて配置されている。このため、薄板部材４０は、先幕５０の先端側を広く覆っていることになる。このように構成することにより、走行に伴って先幕５０に撓みが生じて先幕５０の先端部がばたつくことを薄板部材４０が先幕５０の先端側を広く覆うことで防止できる。
【００２５】
図３は、薄板部材４０の先端部の拡大図である。
薄板部材４０の開口中心側縁部は、開口１１から露出するように配置されている。つまり、図２に示したように、開口１１、２１、３１よりも、さらに開口中心に向けて突出するように配置されている。
このように薄板部材４０が配置されているので、撮影用の光路を画定する機能を有する。
【００２６】
また、このような構成のため、図５、図６に示す従来の構成より、図３で示す領域Ｓの分スペースが空き、この空きスペース分掃除具が挿入されやすくなっている。
【００２７】
以上本発明の好ましい実施形態について詳述したが、本発明は係る特定の実施形態に限定されるものではなく、特許請求の範囲に記載された本発明の要旨の範囲内において、変形・変更が可能である。
【００２８】
上記実施例では開口１１の一辺の縁部に傾斜面１２が形成されているが、複数の辺の縁部に同様に傾斜面１２を形成してもよい。また、被写体側にシャッタ基板１０が撮像素子側に羽根押え板２０が設けられているが、逆にシャッタを配置して、被写体側に羽根押え板２０が撮像素子側にシャッタ基板１０がきてもよい。また、羽根押え板２０は、樹脂により形成されていてもよい。
【図面の簡単な説明】
【００２９】
【図１】本実施例に係るフォーカルプレーンシャッタの正面図である。
【図２】本実施例に係るフォーカルプレーンシャッタの要部断面図である。
【図３】薄板部材の先端部の拡大図である。
【図４】傾斜面周辺の説明図である。
【図５】従来のフォーカルプレーンシャッタの正面図である。
【図６】従来のフォーカルプレーンシャッタの要部断面図である。
【符号の説明】
【００３０】
１０                      基板
１１、２１、３１          開口
１２                      傾斜面
２０                      基板
３０                      仕切板
４０                      薄板部材
５０                      先幕
５１〜５３、６１〜６３    羽根
６０                      後幕
７０                      駆動機構
８１〜８４                アーム部材
【図１】
2008242049.tif 000003
【図２】
2008242049.tif 000004
【図３】
2008242049.tif 000005
【図４】
2008242049.tif 000006
【図５】
2008242049.tif 000007
【図６】
2008242049.tif 000008